(57)【要約】【課題】津波等の水害時に、より多くの人命を救助することが可能となる浮き袋を提供する。【解決手段】浮き袋１は、内部に空気が充填されるとともに人間の胴体２に取り付けられる環状の第１の浮き輪３と、内部に空気が充填されるとともに人間の頭４に取り付けられる環状の第２の浮き輪５と、第１の浮き輪３と第２の浮き輪５とを繋ぐ接続部６とを備える。この浮き袋１では、津波等の水害時に水と一緒に流れてくる木材等が浮き袋１の使用者の頭４に直接、衝突するのを浮き輪５によって防止することが可能になり、浮き輪５によって、水と一緒に流れてくる木材等から使用者の頭４を保護することが可能になる。また、この浮き袋１では、浮き輪５によって、使用者の上半身側が沈むのを防止することが可能になる。【選択図】図１
0003178035.tif 000002
【実用新案登録請求の範囲】
【請求項１】
内部に空気が充填されるとともに人間の胴体に取り付けられる環状の第１の浮き輪と、内部に空気が充填されるとともに人間の頭に取り付けられる環状の第２の浮き輪と、前記第１の浮き輪と前記第２の浮き輪とを繋ぐ接続部とを備えることを特徴とする浮き袋。
【請求項２】
前記接続部は、柔軟性を有する樹脂によって袋状に形成され、
前記接続部の内部には、空気が充填されていることを特徴とする請求項１記載の浮き袋。
【考案の詳細な説明】
【技術分野】
【０００１】
本考案は、水上に浮かぶために使用される浮き袋に関する。
【背景技術】
【０００２】
従来、水上に浮かぶために使用される浮き袋が知られている（たとえば、特許文献１参照）。特許文献１に記載の浮き袋のように、浮き袋は、一般に、円環状に形成されており、その内部に空気が充填されている。また、浮き袋は、一般に、人間の胴体に取り付けられて使用される。
【先行技術文献】
【特許文献】
【０００３】
【特許文献１】実開昭５２−２８９５号公報
【考案の概要】
【考案が解決しようとする課題】
【０００４】
２０１１年３月１１日の東北地方太平洋沖地震で発生した津波によって多くの人命が失われた。そこで、本考案の課題は、津波等の水害時に、より多くの人命を救助することが可能となる浮き袋を提供することにある。
【課題を解決するための手段】
【０００５】
上記の課題を解決するため、本考案の浮き袋は、内部に空気が充填されるとともに人間の胴体に取り付けられる環状の第１の浮き輪と、内部に空気が充填されるとともに人間の頭に取り付けられる環状の第２の浮き輪と、第１の浮き輪と第２の浮き輪とを繋ぐ接続部とを備えることを特徴とする。
【０００６】
本考案の浮き袋は、人間の胴体に取り付けられる第１の浮き輪に加え、人間の頭に取り付けられる第２の浮き輪を備えている。そのため、本考案では、津波等の水害時に水と一緒に流れてくる木材等が浮き袋の使用者の頭に直接、衝突するのを第２の浮き輪によって防止することが可能になる。すなわち、本考案では、第２の浮き輪によって、津波等の水害時に水と一緒に流れてくる木材等から使用者の頭を保護することが可能になる。また、本考案では、第２の浮き輪によって、使用者の上半身側が沈むのを防止することが可能になる。したがって、本考案の浮き袋を用いれば、津波等の水害時に、より多くの人命を救助することが可能になる。
【０００７】
また、本考案では、第１の浮き輪と第２の浮き輪とが接続部によって接続されているため、何らかの原因で、第２の浮き輪が頭から外れても、第２の浮き輪が流されてしまうことはない。したがって、本考案の浮き袋を用いれば、水と一緒に流れてくる木材等から使用者の頭を確実に保護すること、および、使用者の上半身側が沈むのを確実に防止することが可能になる。
【０００８】
本考案において、接続部は、柔軟性を有する樹脂によって袋状に形成され、接続部の内部には、空気が充填されていることが好ましい。このように構成すると、浮き袋の浮力を高めることが可能になる。
【考案の効果】
【０００９】
以上のように、本考案の浮き袋を用いれば、津波等の水害時に、より多くの人命を救助することが可能になる。
【図面の簡単な説明】
【００１０】
【図１】本考案の実施の形態にかかる浮き袋を人体に取り付けた状態を示す図である。
【図２】図１に示す浮き袋を人体から取り外して広げた状態の平面図である。
【考案を実施するための形態】
【００１１】
以下、図面を参照しながら、本考案の実施の形態を説明する。図１は、本考案の実施の形態にかかる浮き袋１を人体に取り付けた状態を示す図である。図２は、図１に示す浮き袋１を人体から取り外して広げた状態の平面図である。
【００１２】
本形態の浮き袋１は、人間の胴体２に取り付けられる第１の浮き輪３と、人間の頭４に取り付けられる第２の浮き輪５と、浮き輪３と浮き輪５とを繋ぐ接続部６とを備えている。浮き輪３、５および接続部６は、塩化ビニール等の柔軟性を有する樹脂によって形成されている。浮き輪３、５は、円環状に形成されており、その内部には、空気が充填されている。接続部６は、帯状に形成されるとともに、袋状に形成されており、その内部には、空気が充填されている。この接続部６は、溶着等によって、浮き輪３、５に接続されている。
【００１３】
上述のように、浮き輪３は胴体２に取り付けられ、浮き輪５は頭４に取り付けられる。具体的には、浮き輪３は胸部の周りに取り付けられ、浮き輪５は頭４の、額がある部分の周りに取り付けられる。本形態では、浮き輪３の内部と接続部６の内部、および、浮き輪５の内部と接続部６の内部とは連通しておらず（繋がっておらず）、浮き輪３、５および接続部６のそれぞれに、空気の注入口（図示省略）が形成されている。なお、浮き輪３の内部と接続部６の内部とが連通し、浮き輪５の内部と接続部６の内部とが連通していても良い。
【００１４】
以上説明したように、本形態の浮き袋１は、胴体２に取り付けられる浮き輪３に加え、頭４に取り付けられる浮き輪５を備えている。そのため、本形態では、津波等の水害時に水と一緒に流れてくる木材等が浮き袋１の使用者の頭４に直接、衝突するのを浮き輪５によって防止することが可能になる。すなわち、本形態では、浮き輪５によって、津波等の水害時に水と一緒に流れてくる木材等から使用者の頭４を保護することが可能になる。また、本形態では、浮き輪５によって、使用者の上半身側が沈むのを防止することが可能になる。したがって、本形態の浮き袋１を用いれば、津波等の水害時に、より多くの人命を救助することが可能になる。
【００１５】
また、本形態では、頭４に取り付けられる浮き輪５が胴体２に取り付けられる浮き輪３に接続部６によって接続されているため、何らかの原因で、浮き輪５が頭４から外れても、浮き輪５が流されてしまうことはない。したがって、本形態の浮き袋１を用いれば、水と一緒に流れてくる木材等から使用者の頭４を確実に保護すること、および、使用者の上半身側が沈むのを確実に防止することが可能になる。また、本形態では、接続部６の内部に空気が充填されているため、浮き袋１の浮力を高めることが可能になる。
【００１６】
本形態では、浮き輪３、５および接続部６が柔軟性を有する樹脂によって形成されているため、浮き輪３、５および接続部６から空気を抜けば、浮き袋１を小さく折り畳んで、かばん等に収容することが可能である。したがって、たとえば、海の沿岸部に住む子供達に空気を抜いた状態の浮き袋１を常時、携帯させることが可能になる。そのため、津波等が発生したときに、かばん等から浮き袋１を取り出して浮き袋１を膨らませれば、より多くの子供の命を救助することが可能になる。
【００１７】
なお、上述した形態では、接続部６は、その内部への空気の充填が可能となるように袋状に形成されているが、接続部６は、袋状に形成されなくても良い。たとえば、接続部６は、その内部への空気の充填ができない帯状や紐状に形成されていても良い。
【符号の説明】
【００１８】
１  浮き袋
２  胴体
３  浮き輪（第１の浮き輪）
４  頭
５  浮き輪（第２の浮き輪）
６  接続部
【図１】
0003178035.tif 000003
【図２】
0003178035.tif 000004